(57)【特許請求の範囲】
【請求項１】
チェス駒のフィギア部と、
前記フィギア部に着脱可能に嵌合し得る嵌合部を有すると共に、該嵌合部を除く部位に前記フィギア部の進み方を表示した台座と、
を有し、
前記フィギア部は、前記台座を取り外した状態でもそれ自身で自立できるように構成され、該フィギア部の進み方を習得した後は、前記台座を該フィギア部から取り外して該フィギア部のみをチェス駒として構成され、前記フィギア部に着脱可能に嵌合し得る前記台座の嵌合部の断面形状は少なくとも異なる６種類の断面形状で構成したことを特徴とするチェス駒。
【請求項２】
チェス駒のフィギア部と、
前記フィギア部に着脱可能に嵌合し得る嵌合部を有すると共に、該嵌合部を除く部位に前記フィギア部の進み方を表示した台座と、
を有し、
前記フィギア部は、前記台座を取り外した状態でもそれ自身で自立できるように構成され、該フィギア部の進み方を習得した後は、前記台座を該フィギア部から取り外して該フィギア部のみをチェス駒として構成され、前記フィギア部の底面は、前記台座の上表面から所定の高さ離間され、前記フィギア部の直下の前記台座の上表面に表示された該フィギア部の進み方が上方から斜めに見通せることを特徴とするチェス駒。
【請求項３】
前記台座本体を透明又は半透明な部材で構成し、該台座を透してチェス盤表面が透視出来ることを特徴とする請求項１または請求項２に記載のチェス駒。
【請求項４】
前記チェス駒のうち、ポーン駒用の前記台座の嵌合部は該台座の後方中央部に設けられると共に、その嵌合部の前方に前記フィギア部の進み方が表示され、
前記チェス駒のうち、キング駒用、クイーン駒用、ビショップ駒用、ナイト駒用及びルーク駒用のぞれぞれの前記台座の嵌合部は該台座の中央部に設けられると共に、その嵌合部の周囲に各フィギア部の進み方が表示されたことを特徴とする請求項１〜３の何れか１項に記載のチェス駒。
【請求項５】
前記フィギア部の底面に凹部を設けると共に、前記嵌合部として前記台座の上表面の一部に前記フィギア部の凹部に着脱可能に嵌合し得る凸部が設けられ、前記台座の上表面の前記凸部を除く部位に前記フィギア部の進み方を表示したことを特徴とする請求項１〜４の何れか１項に記載のチェス駒。
【請求項６】
前記嵌合部は、前記台座の上表面の一部に前記フィギア部の底面形状に対応した凹部が設けられ、該台座の凹部内に前記フィギア部の底部が着脱可能に嵌入され、前記台座の上表面の前記凹部を除く部位に前記フィギア部の進み方を表示したことを特徴とする請求項１に記載のチェス駒。
【発明の詳細な説明】
【技術分野】
【０００１】
本発明は、チェスを始めてみようとする初心者にもチェス駒の進め方が容易に知得でき、習得後は不要なチェス駒の進め方の案内を簡単に除去して上級者向けの格調高いゲームに移行出来るチェス駒に関するものである。
【背景技術】
【０００２】
従来、チェス駒や将棋駒の進め方を駒の表面に表示したものが提案されている。例えば、実用新案登録第３１１９４７１号公報（特許文献１）には、円板状の駒の表面にチェスの駒のシンボルマーク、進み方、名称等を記載したことが記載され、動かし方を矢印、塗りつぶしの丸、塗りつぶしなしの丸で記載し、矢印はその方向に盤内のどこまでも進め、どこで止まっても良い、塗りつぶしの丸は１マス進む、塗りつぶしなしの丸は１マス飛ばす等の分かり易い動かし方を記載したことにより初心者でも手軽にチェスを楽しむことが出来、進み方を覚えた駒から順次、上級者向けの駒に差し替えていくことにより上達が目に見え励みになるものが提案されている。
【０００３】
また、実用新案登録第３０４６１５２号公報（特許文献２）には、五角形板状の駒本体の表面中央部及び裏面中央部にチェスの駒の名称等を示すローマ字表示を形成し、進行可能な方向を示す方向表示を該ローマ字表示に対して進行可能な方向に離間して表面外周部や裏面外周部に形成し、駒本体は表面側と裏面側とで互いに異なる色彩を有するものが提案されている。
【０００４】
また、実開平０１−０９５９８０号公報（特許文献３）には、将棋の駒のそれぞれの動きを示すパターンを記したシールを既製の駒に貼りつけるものが提案されており、実開平０３−１０７９８１号公報（特許文献４）には、将棋の駒の側面や表面に駒の進み方を記載し、記載する方法として、駒に印刷したり彫り込んだりシールを貼るものが提案されている。
【０００５】
また、実用新案登録第３０７０９５３号公報（特許文献５）には、将棋の駒の表面に駒の正式名称とふりがなとその進め方を示す図形、漢字の通称名とふりがなを表示し、裏面にも成り駒になった時の正式名称とふりがなとその進め方を示す図形、漢字の通称名とふりがなを表示し、駒の進め方を覚えた幼児はその進め方を示す図形に通常の駒と同様の書体のシールを貼ることにより、図形に煩わされずに通常のゲームが楽しめるものが提案されている。
【０００６】
また、実開平０５−０９１７６５号公報（特許文献６）には、将棋の駒の表面に、その駒の本来の名称及び動き方を表示し、裏面にその駒が敵陣に入って金になったときの名称及びその動き方を表示し、その駒の下方の側面にその駒の本来の名称及び成駒の表示をしたものが提案され、実用新案登録第３１１０５３４号公報（特許文献７）には、将棋の駒の中間部に駒の移動進路について、その動きを連想する形をデザインしたものが提案されている。
【先行技術文献】
【特許文献】
【０００７】
【特許文献１】実用新案登録第３１１９４７１号公報
【特許文献２】実用新案登録第３０４６１５２号公報
【特許文献３】実開平０１−０９５９８０号公報
【特許文献４】実開平０３−１０７９８１号公報
【特許文献５】実用新案登録第３０７０９５３号公報
【特許文献６】実開平０５−０９１７６５号公報
【特許文献７】実用新案登録第３１１０５３４号公報
【発明の概要】
【発明が解決しようとする課題】
【０００８】
しかしながら、前述の従来例において、特許文献１、２のように円板状や五角形板状のチェス駒であれば、進み方を表示するスペースも確保出来るが、実際のフィギア状のキング駒、クイーン駒、ルーク駒、ビショップ駒、ナイト駒及びポーン駒には進み方を表示するスペースを確保することが困難であった。また、特許文献３、４のように、動きを示すパターンを記したシールを既製の駒に貼りつけるものや、特許文献５のように、駒に表示した進め方を示す図形に通常の駒と同様の書体のシールを貼って隠すものでは、シールの粘着力が無くなると使用できないといった問題があった。
【０００９】
本発明は前記課題を解決するものであり、その目的とするところは、フィギア状のチェス駒に各チェス駒の進み方を表示することが出来、進み方を習得した後は、進み方の表示を容易に取り外してプレイすることが出来、進み方の表示を半永久的に着脱自在としたチェス駒を提供せんとするものである。
【課題を解決するための手段】
【００１０】
前記目的を達成するための本発明に係るチェス駒の第１の構成は、チェス駒のフィギア部と、前記フィギア部に着脱可能に嵌合し得る嵌合部を有すると共に、該嵌合部を除く部位に前記フィギア部の進み方を表示した台座と、を有し、前記フィギア部は、前記台座を取り外した状態でもそれ自身で自立できるように構成され、該フィギア部の進み方を習得した後は、前記台座を該フィギア部から取り外して該フィギア部のみをチェス駒として構成され、前記フィギア部に着脱可能に嵌合し得る前記台座の嵌合部の断面形状は少なくとも異なる６種類の断面形状で構成したことを特徴とする。
【００１１】
また、本発明に係るチェス駒の第２の構成は、チェス駒のフィギア部と、前記フィギア部に着脱可能に嵌合し得る嵌合部を有すると共に、該嵌合部を除く部位に前記フィギア部の進み方を表示した台座と、を有し、前記フィギア部は、前記台座を取り外した状態でもそれ自身で自立できるように構成され、該フィギア部の進み方を習得した後は、前記台座を該フィギア部から取り外して該フィギア部のみをチェス駒として構成され、前記フィギア部の底面は、前記台座の上表面から所定の高さ離間され、前記フィギア部の直下の前記台座の上表面に表示された該フィギア部の進み方が上方から斜めに見通せることを特徴とする。
【００１２】
また、本発明に係るチェス駒の第３の構成は、前記第１、第２の構成において、前記台座本体を透明又は半透明な部材で構成し、該台座を透してチェス盤表面が透視出来ることを特徴とする。
【００１３】
また、本発明に係るチェス駒の第４の構成は、前記第１〜第３の構成において、前記チェス駒のうち、ポーン駒用の前記台座の嵌合部は該台座の後方中央部に設けられると共に、その嵌合部の前方に前記フィギア部の進み方が表示され、前記チェス駒のうち、キング駒用、クイーン駒用、ビショップ駒用、ナイト駒用及びルーク駒用のぞれぞれの前記台座の嵌合部は該台座の中央部に設けられると共に、その嵌合部の周囲に各フィギア部の進み方が表示されたことを特徴とする。
【００１４】
また、本発明に係るチェス駒の第５の構成は、前記第１〜第４の構成において、前記フィギア部の底面に凹部を設けると共に、前記嵌合部として前記台座の上表面の一部に前記フィギア部の凹部に着脱可能に嵌合し得る凸部が設けられ、前記台座の上表面の前記凸部を除く部位に前記フィギア部の進み方を表示したことを特徴とする。
【００１５】
また、本発明に係るチェス駒の第６の構成は、前記第１の構成において、前記嵌合部は、前記台座の上表面の一部に前記フィギア部の底面形状に対応した凹部が設けられ、該台座の凹部内に前記フィギア部の底部が着脱可能に嵌入され、前記台座の上表面の前記凹部を除く部位に前記フィギア部の進み方を表示したことを特徴とする。
【発明の効果】
【００１６】
本発明に係るチェス駒の第１の構成によれば、チェス駒の進み方を覚えていない初級者はチェス駒のフィギア部の進み方を表示した台座の嵌合部に該フィギア部を嵌合して装着した状態で台座上の進み方を参考に容易にプレイをすることが出来、進み方を習得した上級者はチェス駒のフィギア部から台座を取り外して自身でも自立出来るフィギア部のみをチェス駒として格調高いプレイを楽しむことが出来る。また、台座は嵌合部の嵌合によりフィギア部に対して着脱自在に構成されるため、チェス駒のフィギア部の進み方を表示した台座を半永久的に使用出来る。
【００１７】
また、フィギア部に着脱可能に嵌合し得る台座の嵌合部の断面形状を少なくとも異なる６種類の断面形状で構成したことで、チェス駒を構成するキング駒、クイーン駒、ビショップ駒、ナイト駒、ルーク駒及びポーン駒の６種類の駒毎に装着出来る台座を設定することが出来、各フィギア部の進み方を表示した台座をその進み方に対応したフィギア部のみに装着可能で、各フィギア部に間違った進み方の台座を取り付けるおそれがない。
【００１８】
また、本発明に係るチェス駒の第２の構成によれば、フィギア部の底面が台座の上表面から所定の高さ離間されたことによりフィギア部の直下の台座の上表面に表示された該フィギア部の進み方が上方から斜めに見通すことが出来、プレイ中の自然な姿勢で進み方を視認することが出来る。
【００１９】
また、本発明に係るチェス駒の第３の構成によれば、台座本体を透明又は半透明な部材で構成したことで、該台座を透してチェス盤表面が透視出来、例えば、チェス駒のゲーム開始時の初期の並び位置をチェス盤の所定位置に表示した場合等はその並び位置表示を台座を透過して容易に視認出来、チェス駒を間違った位置に並べてしまうことがない。
【００２０】
また、本発明に係るチェス駒の第４の構成によれば、チェス駒のうち、ポーン駒用の台座の嵌合部は該台座の後方中央部に設けられると共に、その嵌合部の前方に該フィギア部の進み方が表示されたことで、最初の１マスまたは２マス直進やそれ以降の１マス直進、或いは、相手のチェス駒を捕獲する際に左右斜め前に１マス進む等、チェス盤上の相手の陣地の最終段に到着して、クイーン、ルーク、ナイト、ビショップの好みのいずれかの駒に成った時以外は前方にしか進めないポーン駒の特性を活かして台座の前方スペースを広く確保してポーン特有の複雑な進み方を工夫して表示することが出来る。また、チェス駒のうち、キング駒用、クイーン駒用、ビショップ駒用、ナイト駒用及びルーク駒用のぞれぞれの台座の嵌合部は該台座の中央部に設けられると共に、その嵌合部の周囲に各フィギア部の進み方が表示されたことで、前後左右斜めの８方向のうちの何れかの好きな方向にも１マスずつ動くことが出来るキング駒、前後左右斜めの８方向のうちの何れかの好きな方向に一直線に他の駒がない限り好きな距離のマス目に動くことが出来るクイーン駒、斜めの４方向のうちの何れかの好きな方向に一直線に他の駒がない限り好きな距離のマス目に動くことが出来るビショップ駒、前後左右２マス目の左右何れかの８箇所のマスの何れかに他の駒を飛び越えて動くことが出来るナイト駒、前後左右の４方向のうちの何れかの好きな方向に一直線に他の駒がない限り好きな距離のマス目に動くことが出来るルーク駒のそれぞれの特性を活かして嵌合部を中心にして該嵌合部の周囲スペースを均等に確保して嵌合部を中心にして前後左右斜めの放射状に各フィギア部の進み方を工夫して表示することが出来る。
【００２１】
また、本発明に係るチェス駒の第５の構成によれば、フィギア部の底面に凹部を設けると共に、嵌合部として台座の上表面の一部に該フィギア部の凹部に着脱可能に嵌合し得る凸部を設けたことで、フィギア部の底面を平坦に構成することが出来、フィギア部自身が自立出来る。また、台座の凸部の外径を出来るだけ小さくすることで、該台座の上表面の凸部を除く部位のスペースを広く確保することができ、そこにフィギア部の進み方を表示することが出来る。
【００２２】
また、本発明に係るチェス駒の第６の構成によれば、嵌合部として台座の上表面の一部にフィギア部の底面形状に対応した凹部を設け、該台座の凹部内にフィギア部の底部を直接着脱可能に嵌入したことで、フィギア部の底面を平坦に構成してフィギア部自身が自立出来、該フィギア部の加工は不要となるため台座を取り外した場合でもフィギア部自体は何ら違和感が無く格調高いチェス駒としてそのまま使用出来る。また、台座の上表面の凹部を除く部位にフィギア部の進み方を表示することが出来る。
【図面の簡単な説明】
【００２３】
【図１】（ａ）は本発明に係るチェス駒の構成を示す斜視図、（ｂ）は台座をフィギア部から取り外した様子を示す分解斜視図である。
【図２】（ａ）は本発明に係るチェス駒のフィギア部の構成を示す平面図及び正面説明図、（ｂ）は台座の構成を示す平面図及び正面説明図である。
【図３】（ａ）〜（ｅ）は各種のチェス駒のフィギア部の構成を示す平面図及び正面説明図である。
【図４】（ａ）〜（ｅ）は各種のチェス駒の台座の構成を示す平面図及び正面説明図である。
【図５】チェス盤上に本発明に係るチェス駒を載置した様子を示す平面図である。
【図６】（ａ）〜（ｅ）は各種のチェス駒の台座の嵌合部を異なる複数の断面形状で構成した他のチェス駒の一例を示すフィギア部の底面図及び台座の平面図である。
【発明を実施するための形態】
【実施例１】
【００２４】
図により本発明に係るチェス駒の一実施形態を具体的に説明する。先ず、図１〜図５を用いて本発明に係るチェス駒の第１実施形態の構成について説明する。図１〜図５において、チェス駒１は、図３（ａ）に示すキング駒、図３（ｂ）に示すクイーン駒、図３（ｃ）に示すビショップ駒、図３（ｄ）に示すナイト駒、図１及び図２に示すルーク駒及び図３（ｅ）に示すポーン駒の６種類のチェス駒の容姿を有するフィギア部２と、該フィギア部２に着脱可能に嵌合し得る嵌合部を有すると共に、該嵌合部を除く部位にフィギア部２の進み方を表示した台座３とを有して構成される。フィギア部２は、台座３を取り外した状態でもそれ自身で自立出来るように底面２ａが平坦に構成され、該フィギア部２の進み方を習得した後は、該台座３を該フィギア部２から取り外して該フィギア部２のみをチェス駒１として使用することが出来る。本実施形態では、台座３の上表面３ａの右下に各チェス駒１のマーク６が表示されており、そのマーク６を確認して台座３とフィギア部２との組を確認することが出来る。
【００２５】
本実施形態では、フィギア部２の底面２ａに凹部２ｂを設けると共に、台座３に設けた嵌合部として該台座３の上表面３ａの一部に該フィギア部２の凹部２ｂに着脱可能に嵌合し得る凸部３ｃが設けられ、該台座３の上表面３ａの凸部３ｃを除く部位にフィギア部２の進み方として、図４に示すように、塗りつぶしの丸４ａ、塗りつぶしなしの丸４ｂ、塗りつぶしの丸から星形に塗りつぶしをなくした丸に星４ｃ、矢線４ｄが表示されている。
【００２６】
本実施形態では、台座３の上表面３ａから所定長さの脚部３ｂが起立して設けられており、該脚部３ｂの先端に断面半月状の凸部３ｃが設けられている。脚部３ｂを設けることにより、フィギア部２の底面２ａは、台座３の上表面３ａから所定の高さ離間されるため、図１（ａ）に示すように、フィギア部２の直下の台座３の上表面３ａに表示された該フィギア部２の進み方が上方から斜めに見通すことが出来る。
【００２７】
本実施形態では、チェス駒１のうち、図４（ｅ）に示すポーン駒用の台座３の嵌合部としての凸部３ｃは該台座３の後方中央部（図４（ｅ）の下方中央部）に設けられると共に、その嵌合部となる凸部３ｃの前方（図４（ｅ）の上方）にポーン駒のフィギア部２の進み方が塗りつぶしの丸４ａ、塗りつぶしなしの丸４ｂ、塗りつぶしの丸から星形に塗りつぶしをなくした丸に星４ｃを用いて表示される。ここで、塗りつぶしなしの丸４ｂはポーン駒が最初だけ前方に２マス進むことも出来ることを意味しており、丸に星４ｃは相手の駒を捕獲する際に限り左右斜め前方に１マス進むことが出来ることを意味しており、塗りつぶしの丸４ａは２回目からは前方に１マス進むことを意味している。
【００２８】
一方、チェス駒１のうち、図４（ａ）〜（ｄ）に示すキング駒用、クイーン駒用、ビショップ駒用、ナイト駒用及び図１及び図２に示すルーク駒用のぞれぞれの台座３の嵌合部としての凸部３ｃは該台座３の中央部に設けられると共に、その嵌合部となる凸部３ｃの周囲に各フィギア部２の進み方が塗りつぶしの丸４ａ、矢線４ｄを用いて表示される。
【００２９】
本実施形態において、台座３本体は、ポリスチレン (polystyrene；ＰＳ）、ＡＢＳ樹脂（アクリロニトリル (Acrylonitrile)、ブタジエン (Butadiene)、スチレン (Styrene)の共重合合成樹脂）、アクリル板等の透明又は半透明な部材で構成されており、図５に示すように、台座３を透してチェス盤５の表面が透視出来、該チェス盤５のゲーム開始位置にそれぞれのチェス駒１の容姿がホームポジション５ａとして表示されているため、各チェス駒１のホームポジション５ａが台座３を透して視認することが出来る。
【００３０】
上記構成によれば、チェス駒１の進み方を覚えていない初級者はチェス駒１のフィギア部２の進み方を表示した台座３の嵌合部となる凸部３ｃに該フィギア部２の底面２ａに設けられた凹部２ｂを嵌合して装着した状態で台座３の上表面３ａに表示された各フィギア部２の進み方を参考に容易にプレイをすることが出来、進み方を習得した上級者はチェス駒１のフィギア部２から台座３を取り外して自身でも自立出来るフィギア部２のみをチェス駒１として格調高いプレイを楽しむことが出来る。また、台座３は嵌合部となる凸部３ｃとフィギア部２に設けられた凹部２ｂとの嵌合により該フィギア部２に対して着脱自在に構成されるため、各チェス駒１のフィギア部２の進み方を表示した台座３を半永久的に使用出来る。
【００３１】
また、台座３の上表面３ａに脚部３ｂを設け、その先端に凸部３ｃを設けて構成したことで、フィギア部２の底面２ａが台座３の上表面３ａから脚部３ｂの長さ分だけ所定の高さ離間されたことにより、図１（ａ）に示すように、フィギア部２の直下の台座３の上表面３ａに表示された該フィギア部２の進み方が上方から斜めに見通すことが出来、プレイ中の自然な姿勢で各チェス駒１の進み方を視認することが出来る。
【００３２】
また、台座３本体を透明又は半透明な部材で構成したことで、該台座３を透してチェス盤５表面が透視出来、例えば、チェス駒１のゲーム開始時の初期の並び位置となるホームポジション５ａをチェス盤５の所定位置に表示した場合は、そのホームポジション５ａの並び位置表示を台座３を透過して容易に視認出来、初心者であってもチェス駒１を間違った位置に並べてしまうことがない。
【００３３】
また、チェス駒１のうち、図４（ｅ）に示すポーン駒用の台座３の嵌合部となる凸部３ｃは該台座３の後方中央部（図４（ｅ）の下方中央部）に設けられると共に、その嵌合部となる凸部３ｃの前方（図４（ｅ）の上方）に該フィギア部２の進み方が表示されたことで、最初の１マス直進（塗りつぶしの丸４ａ）または最初の２マス直進（塗りつぶしなしの丸４ｂ）やそれ以降の１マス直進（塗りつぶしの丸４ａ）、或いは、相手のチェス駒を捕獲する際に左右斜め前に１マス進む（丸に星４ｃ）等、チェス盤５上の相手の陣地の最終段（図５の最上段のマス）に到着して、クイーン駒、ルーク駒、ナイト駒、ビショップ駒のうちの何れか好みの駒に成った時以外は前方にしか進めないポーン駒の特性を活かして台座３の前方（図４（ｅ）の上方）スペースを広く確保してポーン駒特有の複雑な進み方を工夫して表示することが出来る。
【００３４】
また、チェス駒のうち、図４（ａ）に示すキング駒用、図４（ｂ）に示すクイーン駒用、図４（ｃ）に示すビショップ駒用、図４（ｄ）に示すナイト駒用、図１及び図２に示すルーク駒用のぞれぞれの台座３の嵌合部となる凸部３ｃは該台座３の中央部に設けられると共に、その嵌合部となる凸部３ｃの周囲に各フィギア部２の進み方が表示されたことで、図４（ａ）の８つの塗りつぶしの丸４ａで示すように、前後左右斜めの８方向のうちの何れかの好きな方向にも１マスずつ動くことが出来るキング駒、図４（ｂ）の８方向に向かう矢線４ｄで示すように、前後左右斜めの８方向のうちの何れかの好きな方向に一直線に他の駒がない限り好きな距離のマス目に動くことが出来るクイーン駒、図４（ｃ）の斜め４方向に向かう矢線４ｄで示すように、斜めの４方向のうちの何れかの好きな方向に一直線に他の駒がない限り好きな距離のマス目に動くことが出来るビショップ駒、図４（ｄ）の８つの塗りつぶしの丸４ａで示すように、前後左右２マス目の左右何れかの８箇所のマスの何れかに他の駒を飛び越えて動くことが出来るナイト駒、図１及び図２の前後左右４方向に向かう矢線４ｄで示すように、前後左右の４方向のうちの何れかの好きな方向に一直線に他の駒がない限り好きな距離のマス目に動くことが出来るルーク駒のそれぞれの特性を活かして嵌合部となる凸部３ｃを中心にして該嵌合部となる凸部３ｃの周囲スペースを均等に確保して嵌合部となる凸部３ｃを中心にして前後左右斜めの放射状に適宜各フィギア部２の進み方を工夫して表示することが出来る。
【００３５】
尚、図１、図２及び図４に示した進み方の表示は一例に過ぎず、図６に示すように、全て矢線４ｄで表示したり、他の種々の進み方の表示を工夫することが出来る。尚、図５は台座３の透明感を説明するために進み方の表示とマーク６とを省略したものである。
【００３６】
また、各フィギア部２の底面２ａに凹部２ｂを設けると共に、嵌合部として台座３の上表面３ａの一部に該フィギア部２の凹部２ｂに着脱可能に嵌合し得る凸部３ｃを設けたことで、フィギア部２の底面２ａを平坦に構成することが出来、フィギア部２自身が自立出来る。また、台座３の凸部３ｃ及び脚部３ｂの外径を出来るだけ小さくすることで、該台座３の上表面３ａの凸部３ｃを除く部位のスペースを広く確保することができ、そこにフィギア部２の進み方を大きく表示することが出来る。
【実施例２】
【００３７】
次に図６を用いて本発明に係るチェス駒の第２実施形態の構成について説明する。本実施形態では、図６に示すように、フィギア部２に着脱可能に嵌合し得る台座３の嵌合部となる凸部３ｃの断面形状は少なくとも異なる６種類の断面形状で構成したものである。本実施形態では、図６（ａ）に示すキング駒のフィギア部２に着脱可能に嵌合し得る台座３の嵌合部となる凸部３ｃの断面形状を星形とし、図６（ｂ）に示すクイーン駒のフィギア部２に着脱可能に嵌合し得る台座３の嵌合部となる凸部３ｃの断面形状を菱形とし、図６（ｃ）に示すビショップ駒のフィギア部２に着脱可能に嵌合し得る台座３の嵌合部となる凸部３ｃの断面形状を正三角形とし、図６（ｄ）に示すナイト駒のフィギア部２に着脱可能に嵌合し得る台座３の嵌合部となる凸部３ｃの断面形状をＬ字形状とし、図６（ｅ）に示すルーク駒のフィギア部２に着脱可能に嵌合し得る台座３の嵌合部となる凸部３ｃの断面形状をＸ字形状とし、図６（ｆ）に示すポーン駒のフィギア部２に着脱可能に嵌合し得る台座３の嵌合部となる凸部３ｃの断面形状を半月よりも少し満ちたＤ字形状として構成したものである。これにより、チェス駒１を構成するキング駒、クイーン駒、ビショップ駒、ナイト駒、ルーク駒及びポーン駒の６種類の駒毎に装着出来る台座３を固定することが出来、各フィギア部２の進み方を表示した台座３をその進み方に対応したフィギア部２のみに装着可能で、各フィギア部２に間違った進み方の台座３を取り付けるおそれがない。
【実施例３】
【００３８】
次に本発明に係るチェス駒の他の構成について説明する。本実施形態では、フィギア部２と台座３とを着脱可能とする嵌合部の他の構成として、台座３の上表面３ａの一部にフィギア部２の底面２ａの形状に対応した図示しない貫通穴や有底穴からなる凹部が設けられ、該台座３の凹部内に各フィギア部２の底部が直接着脱可能に嵌入される。そして、台座３の上表面３ａの凹部を除く部位にフィギア部２の進み方を前述と同様に表示することが出来る。
【００３９】
このような構成によれば、嵌合部として台座３の上表面３ａの一部にフィギア部２の底面２ａ形状に対応した凹部を設け、該台座３の凹部内にフィギア部２の底部を直接着脱可能に嵌入したことで、フィギア部２の底面２ａを平坦に構成してフィギア部２自身が自立出来、該フィギア部２の加工は不要となるため台座３を取り外した場合でもフィギア部２自体は何ら違和感が無く格調高いチェス駒１としてそのまま使用出来る。また、台座３の上表面３ａの凹部を除く部位にフィギア部２の進み方を表示することが出来る。
【００４０】
尚、前記各実施形態において、各フィギア部２と台座３とを嵌合により着脱可能に構成した一例について説明したが、フィギア部２と台座３とを磁石の磁力により着脱可能に構成したり、ねじやボルト、ナット等により着脱可能に構成したり、他の種々の係合手段により着脱可能に構成することもできる。
【産業上の利用可能性】
【００４１】
本発明の活用例として、チェスを始めてみようとする初心者にもチェス駒の進め方が容易に知得でき、習得後は不要なチェス駒の進め方の案内を簡単に除去して上級者向けの格調高いゲームに移行出来るチェス駒に適用出来る。
【符号の説明】
【００４２】
１    …チェス駒
２    …フィギア部
２ａ  …底面
２ｂ  …凹部
３    …台座
３ａ  …上表面
３ｂ  …脚部
３ｃ  …凸部
４ａ  …塗りつぶしの丸
４ｂ  …塗りつぶしなしの丸
４ｃ  …丸に星
４ｄ  …矢線
５    …チェス盤
５ａ  …ホームポジション
６    …マーク
【図１】
0005567910.tif 000002
【図２】
0005567910.tif 000003
【図３】
0005567910.tif 000004
【図４】
0005567910.tif 000005
【図５】
0005567910.tif 000006
【図６】
0005567910.tif 000007